(57)【特許請求の範囲】
【請求項１】
受け渡された印刷物に週刊誌綴じを行う後処理手段と、印刷物束を１部毎に仕分ける仕分け制御手段を有する印刷物処理装置と接続された両面印刷可能な画像形成装置において、
原稿を順次読み取り画像データを生成するスキャナ部と、読み取った原稿の画像データを頁単位で格納する画像メモリと、週刊誌綴じの指示がされて、コピー開始の指示がされると、原稿を前記スキャナで順次読み取り前記画像メモリに格納する原稿読み取り制御手段と、原稿の頁数が所定の頁数以下のときは１部を１回で行う第１の週刊誌綴じの指示を前記印刷物処理装置に行い、原稿の頁数が所定の頁数より多いときは１部を複数の分冊に分けて第２の週刊誌綴じの指示を前記印刷物処理装置に行う週刊誌綴じ制御手段と、前記前記第２の週刊誌綴じの指示が行われた場合は、１部の中の最初の分冊の最終の頁と、最終の分冊の最初の頁と、それ以外の分冊の最初の頁と最終の頁には貼り合わせ用頁として白紙頁を割り込み印刷する白紙頁指定手段とを有することを特徴とする画像形成装置。
【請求項２】
受け渡された印刷物に週刊誌綴じを行う後処理手段と、印刷物束を１部毎に仕分ける仕分け制御手段を有する印刷物処理装置と接続された両面印刷可能な画像形成装置において、
原稿を順次読み取り画像データを生成するスキャナ部と、読み取った原稿の画像データを頁単位で格納する画像メモリと、週刊誌綴じの指示がされて、コピー開始の指示がされると、原稿を前記スキャナで順次読み取り前記画像メモリに格納する原稿読み取り制御手段と、原稿の頁数が所定の頁数以下のときは１部を１回で行う第１の週刊誌綴じの指示を前記印刷物処理装置に行い、原稿の頁数が所定の頁数より多いときは１部を複数の分冊に分けて第２の週刊誌綴じの指示を前記印刷物処理装置に行う週刊誌綴じ制御手段と、前記前記第２の週刊誌綴じの指示が行われた場合は、１部の中の最初の分冊の最終の頁と最終の分冊の最初の頁とそれ以外の分冊の最初の頁と最終の頁は貼り合わせ用頁として記号頁を割り込み印刷する記号頁指定手段とを有することを特徴とする画像形成装置。
【請求項３】
前記最初の分冊の最終の頁の記号と次の分冊の最初の頁には同じ記号を、最終の分冊の最初の頁とその前の分冊の最終頁には同じ記号を、それ以外の分冊は最終の頁と次の分冊の最初の頁には同じ記号を各々印刷する記号付与手段を有することを特徴とする請求項２に記載の画像形成装置。
【請求項４】
複数部の印刷を行いしかも前記第２の週刊誌綴じの指示が行われた場合は、同じ部の分冊は同じ位置に仕分けるように指示する仕分け指示手段とを有することを特徴とする請求項１〜３に記載の画像形成装置。
【請求項５】
前記１つの分冊の枚数を指示する分冊枚数指示手段を有することを特徴とする請求項１〜４に記載の画像形成装置。
【発明の詳細な説明】
【０００１】
【発明の属する技術分野】
本発明は、週刊誌綴じ、仕分けなどの後処理を行う印刷物処理装置を接続した画像形成装置の制御に関するものである。
【０００２】
【従来の技術】
特開平７１５７１７８号公報に記載の画像出力装置は、シート処理装置で処理すべきシート枚数が一度に処理可能なシート枚数よりも多い場合に、分冊に分
けて処理（中綴じ又は中折り）し、その分冊を重ねることにより正しい頁配列で中綴じした冊子を作成できるようにする技術が開示されている。
【０００３】
【発明が解決しようとする課題】
上記技術では、分冊同士がお互いに綴じられてはいないので、複数の分冊を後で背表紙位置で止める必要があるが、分冊の数が多くなると止めるのが困難であった。またどのような順番でお互いの分冊を綴じていけば良いのか判らなくなることもある。さらにもし複数部の中綴じの冊子を排出したときには、数多くの分冊が排出されて、あとで１部づつ仕分ける作業が発生していた。本願発明はこのような問題を解決することを目的とする。
【０００４】
【課題を解決するための手段】
上記のような目的を達成するために本願第１の発明は、受け渡された印刷物に週刊誌綴じを行う後処理手段と、印刷物束を１部毎に仕分ける仕分け制御手段を有する印刷物処理装置と接続された両面印刷可能な画像形成装置において、原稿を順次読み取り画像データを生成するスキャナ部と、読み取った原稿の画像データを頁単位で格納する画像メモリと、週刊誌綴じの指示がされて、コピー開始の指示がされると、原稿を前記スキャナで順次読み取り前記画像メモリに格納する原稿読み取り制御手段と、原稿の頁数が所定の頁数以下のときは１部を１回で行う第１の週刊誌綴じの指示を前記印刷物処理装置に行い、原稿の頁数が所定の頁数より多いときは１部を複数の分冊に分けて第２の週刊誌綴じの指示を前記印刷物処理装置に行う週刊誌綴じ制御手段と、前記前記第２の週刊誌綴じの指示が行われた場合は、１部の中の最初の分冊の最終の頁と、最終の分冊の最初の頁と、それ以外の分冊の最初の頁と最終の頁には張り合わせ用頁として白紙頁を割り込み印刷する白紙頁指定手段とを有することを特徴とする画像形成装置を用いる。
【０００５】
本願第２の発明は、受け渡された印刷物に週刊誌綴じを行う後処理手段と、印刷物束を１部毎に仕分ける仕分け制御手段を有する印刷物処理装置と接続された両面印刷可能な画像形成装置において、原稿を順次読み取り画像データを生成するスキャナ部と、読み取った原稿の画像データを頁単位で格納する画像メモリと、週刊誌綴じの指示がされて、コピー開始の指示がされると、原稿を前記スキャナで順次読み取り前記画像メモリに格納する原稿読み取り制御手段と、原稿の頁数が所定の頁数以下のときは１部を１回で行う第１の週刊誌綴じの指示を前記印刷物処理装置に行い、原稿の頁数が所定の頁数より多いときは１部を複数の分冊に分けて第２の週刊誌綴じの指示を前記印刷物処理装置に行う週刊誌綴じ制御手段と、前記前記第２の週刊誌綴じの指示が行われた場合は、１部の中の最初の分冊の最終の頁と最終の分冊の最初の頁とそれ以外の分冊の最初の頁と最終の頁は張り合わせ用頁として記号頁を割り込み印刷する記号頁指定手段とを有することを特徴とする画像形成装置を用いる。
【０００６】
本願第３の発明は、前記最初の分冊の最終の頁の記号と次の分冊の最初の頁には同じ記号を、最終の分冊の最初の頁とその前の分冊の最終頁には同じ記号を、それ以外の分冊は最終の頁と次の分冊の最初の頁には同じ記号を各々印刷する記号付与手段を有することを特徴とする第２の発明に記載の画像形成装置を用いる。
【０００７】
本願第４の発明は、複数部の印刷を行いしかも前記第２の週刊誌綴じの指示が行われた場合は、同じ部の分冊は同じ位置に仕分けるように指示する仕分け指示手段とを有することを特徴とする第１〜３の発明に記載の画像形成装置を用いる。
【０００８】
本願第５の発明は、前記１つの分冊の枚数を指示する分冊枚数指示手段を有することを特徴とする第１〜４の発明に記載の画像形成装置を用いる。
【０００９】
【作用】
本願第１の発明は、１部当たりの枚数が多いのに週刊誌綴じを指示したときに、複数の分冊に分けて印刷されるが、これをさらに綴じるのはユーザーの手作業で行う。このとき本願の白紙頁指示手段により白紙印刷された頁同士を糊などで張り合わせれば、少々分冊の数が多くても綴じることができる。
【００１０】
本願第２の発明は、複数の分冊を綴じるときに、貼り合わせる頁がどれなのか分かりやすいように、これを示す記号を印字しておく。
【００１１】
本願第３の発明は、第２の発明で複数の分冊を綴じるときに、何処の頁と何処の頁を貼り合わせれば良いのか判らなくならないように、貼り合わせる頁同士を同じ記号を印字しておく。
【００１２】
本願第４の発明は、週刊誌綴じされた分冊も複数、しかも部数も複数に渡るときには、同じ部のものはそれ同士が集まるように仕分けすると、あとで分冊同士綴じるときに便利である。
【００１３】
本願第５の発明は、分冊するときに１つの分冊に使用する用紙の枚数を指示できた方が、好みに応じた印刷物を作成でき便利である。
【００１４】
【実施例】
本発明を採用する印刷物処理装置に接続された画像形成装置を図１の概略図に基づいて説明する。画像形成装置１は、ここではデジタル複写機で、少なくともサイズの異なる複数種類の用紙カセットを有し、両面コピー、メモリコピーの機能も必要である。この画像形成装置１の上にはＤＦ（ドキュメントフィーダー）２が設けられ、この原稿載置位置に原稿をセットすると、自動的に順次１枚づつ原稿を給紙し、原稿読み取り位置に搬送するものである。印刷物処理装置４は、前記画像形成装置１から受け渡された印刷物に後処理を行う装置である。この印刷物処理装置４は、排紙口（４１〜４３）は、そのままコピーを１枚づつ排紙する第１の排紙口４１、ステイプルやパンチ処理したコピー物束を排出する第２の排紙口４２、週刊誌綴じされたコピー物を排紙する第３の排紙口４３、第１の排紙口４１から排紙されるコピー物を仕分ける第１の仕分け手段４４、第２の排紙口４１から排紙されるコピー物を仕分ける第２の仕分け手段４５、第３の排紙口４１から排紙されるコピー物を仕分ける第３の仕分け手段４６、第１の排紙口４１から排紙されるコピー物を積載する第１の排紙トレイ４７、第２の排紙口４２から排紙されるコピー物を積載する第２の排紙トレイ４８、第３の排紙口４３から排紙される週刊誌綴じされたコピー物を積載する第３の排紙トレイ４９から構成されている。
【００１５】
図２は本発明を採用する印刷物処理装置に接続された画像形成装置１のブロック図である。詳しくは、前記ＣＰＵ１１は当該画像形成装置１の各構成を制御しており、各種プログラムを記憶した前記ＲＯＭ１２、ユーザーチョイスデータ、設定データ、トータルカウントデータ、各種フォントデータなどを記憶した前記ＲＡＭ１３に接続されている。本願発明の各請求項に記載されている仕分け制御手段、原稿読み取り制御手段、週刊誌綴じ制御手段、白紙頁指定手段、記号頁指定手段、記号付与手段、仕分け指示手段、分冊枚数指示手段を等は上記ＲＯＭ１２に格納されたプログラムである。
【００１６】
前記プリンタ部１４は給紙搬送手段、作像手段、定着装置などから構成されており、給紙カセットから給紙された用紙は前記作像手段によりトナー像を転写され、これが定着手段の熱ローラと圧ローラのニップにより挟持、加熱されることによりトナー像を定着されてコピー物となる。このコピー物は順次印刷物処理装置４に受け渡される。また両面コピーの場合は定着されたコピー物は中間スタックにスタックされてその後もう一面にトナー像を転写、定着されて順次印刷物処理装置４に受け渡される。前記操作表示部１６は、操作キー、ＬＤＣ表示部などから構成されている。本願発明の週刊誌綴じの指示も、ユーザーがここから行う。ＤＦ用Ｉ／Ｆ１７は、この画像形成装置１の上に置かれたＤＦ３とケーブル２４を介して接続し、このＤＦ３を制御するためのインターフェースである。スキャナ装置１８は、ＤＦ３で１枚づつフィードされる原稿にハロゲンランプで光を当てその反射光をＣＣＤセンサで読み取り、このアナログ信号をＡ／Ｄ変換でデジタル信号に変換し画像処理部１９で画像処理をして後段のビットマップメモリ２０に展開していく。ＣＯＤＥＣ２１は、画像データを符号化して画像メモリ２２に効率よく格納するため、さらに画像メモリの画像データを復号化するためのものである。この画像メモリ２２は画像データ格納用のハードディスクを用いて画像メモリとしているものも多い。バス２３は、上述した各構成のデータや信号のやり取りを行うバスである。それぞれ画像データ用のバスや制御信号用のバスがあるが、ここでは略して１つで表している。
【００１７】
本願発明を採用する画像形成装置で週刊誌綴じを選択してコピーを行うときの、処理フローを図３に基づいて説明する。まず原稿を読み取り画像メモリに格納するとともに、原稿の頁数をカウントする（Ｓ１０１）。次に原稿画像の頁数と所定の頁数を比較する（Ｓ１０２）。ここで所定の頁数は、印刷物処理装置の週刊誌綴じでの中折りの能力と、片面か両面かなどで決定される。例えば一度の１０枚の中折りまでできるのであれば、週刊誌綴じなので１枚に付き４頁の原稿を割り付けることができる。この場合は所定の頁数は４０頁となる。Ｓ１０２で原稿画像の頁数が４０枚以下であれば週刊誌綴じ制御手段が第１の週刊誌綴じで行うように指示し（Ｓ１０３）、この指示に従い週刊誌綴じ冊子を作成して処理は終了する。Ｓ１０２で原稿画像の頁数が４０枚より多ければ週刊誌綴じ制御手段が第２の週刊誌綴じで行うように指示し（Ｓ１０５）、次に自動分冊か否かを判断する（Ｓ１０６）。ここで手動で分冊の指示を行う場合は本願第５の発明に係るもので、操作表示部から１つの分冊の頁数又は印刷される枚数を設定していき（Ｓ１０７）、設定が終了するとこの設定に基づき各々分冊を作成していき（Ｓ１０８）、終われば処理は終了する。この手動による分冊の指示は、１つの分冊の頁を守りつつ本願の白紙頁の指示を考慮した禁則を伴うものである。Ｓ１０６で自動分冊であれば、まず最初の分冊を作成する（Ｓ１０９）。この最初の分冊の最終頁は白紙頁となる。最初の分冊が終了すると（Ｓ１１０）、つぎに残りの原稿の頁数と所定の頁数から１減算した頁数を比較する（Ｓ１１１）。この１減算した頁数と比較するのは、すでに分冊を指示しているので、少なくとも最終の分冊には１頁の白紙頁が必要だからである。Ｓ１１１で残りの原稿の頁数が所定の頁数から１減算した頁数より多い場合は、請求項のそれ以外の分冊を作成し（Ｓ１１２）、このそれ以外の分冊が終了すると（Ｓ１１３）、再びＳ１１１に戻る。Ｓ１１１で残りの原稿の頁数が所定の頁数から１減算した頁数以下の場合は、最終の分冊を作成して（Ｓ１１４）処理は終了する。
【００１８】
本願発明の第１の週刊誌綴じ、第２の週刊誌綴じを図４を用いて説明する。ここで所定の原稿枚数は４０枚と設定している。まず図４の（Ａ）は、第１の週刊誌綴じの説明図で、４０頁の原稿を１枚の用紙に付き４頁づつ割り付けた場合である。全ての図で耳折れして番号を付けているが、このような番号を印字するのでもなく、また耳折れした用紙を排紙していくものではなく、原稿の画像の頁と対応するものである。まず１枚目の用紙の表面には左から２、３９頁の原稿画像が、裏面には１、４０頁の原稿画像が割り付けられ、２枚目の用紙の表面には左から４、３７頁の原稿画像が、裏面には３、３８頁の原稿画像が割り付けられ、・・・１０枚目の用紙の表面には、２０、２１頁の原稿画像が、裏面には１９、２２頁の原稿画像が割り付けられる。このように、両面に原稿画像を印刷された１０枚の用紙は、印刷物処理装置４で中央をステイプルで綴じらた後この中央部を折られて排出トレイ４９に排出され、図中右側に示すような冊子が完成する。
【００１９】
図４の（Ｂ）は第２の週刊誌綴じの説明図である。まず１つ目の分冊の作成は、１枚目の用紙の裏面は１つ目の分冊のオモテ表紙とウラ表紙になるので、１枚目の用紙の表面には左から２、３９頁の原稿画像が、裏面の左には１頁の原稿画像が割り付けられ、右は白紙頁（白１）となる。２枚目の用紙の表面には左から４、３７頁の原稿画像が、裏面には３、３８頁の原稿画像が割り付けられ、・・・１０枚目の用紙の表面には、２０、２１頁の原稿画像が、裏面には１９、２２頁の原稿画像が割り付けられる。このように、両面に原稿画像を印刷された１０枚の用紙は、印刷物処理装置４で中央をステイプルで綴じらた後この中央部を折られて排出トレイ４９に排出され、図中右側に示すような１つ目の分冊が完成する。次に２つ目の分冊（請求項のそれ以外の分冊）の作成は、１１枚目（２つ目の分冊の１枚目）の用紙の裏面は２つ目の分冊のオモテ表紙とウラ表紙になるので、この１１枚目の用紙の表面には左から４０、７７頁の原稿画像が割り付けられ、裏面は白紙頁（左から白２、白３）となる。１２枚目の用紙の表面には左から４２、７５頁の原稿画像が、裏面には４１、７６頁の原稿画像が割り付けられ、・・・２０枚目の用紙の表面には、５８、５９頁の原稿画像が、裏面には５７、６０頁の原稿画像が割り付けられる。このように、両面に原稿画像を印刷された１０枚の用紙は、印刷物処理装置４で中央をステイプルで綴じらた後この中央部を折られて排出トレイ４９に排出され、図中右側に示すような２つ目の分冊が完成する。３つ目の分冊の作成は、２１枚目（３つ目の分冊の１枚目）の用紙の裏面は３つ目の分冊のオモテ表紙とウラ表紙になるので、この２１枚目の用紙の表面には左から７８、１１５頁の原稿画像が割り付けられ、裏面の左には白紙頁（白４）と右には１１６頁の原稿画像が割り付けられ、２２枚目の用紙の表面には左から８０、１１３頁の原稿画像が、裏面には７９、１１４頁の原稿画像が割り付けられ、・・・３０枚目の用紙の表面には、９６、９７頁の原稿画像が、裏面には９５、９８頁の原稿画像が割り付けられる。このように、両面に原稿画像を印刷された１０枚の用紙は、印刷物処理装置４で中央をステイプルで綴じらた後この中央部を折られて排出トレイ４９に排出され、図中右側に示すような３つ目の分冊が完成し、この３つ分冊の白紙頁同士、つまり白１と白２、白３と白４を糊付けするなどして張り合わせると、１つの冊子が完成する。
【００２０】
本願第２の発明では、上述した実施例で白紙頁となる頁に、何らかの記号を印字するというものである。例えば張り合わせる為の頁であることを知らせる記号でも良いし、記号に替えて糊代の枠などでも良い。本願第３の発明は、この記号の張り合わせる頁同士を同じ記号にしておけば良い。たとえば上述した白１の頁と白２の頁には糊しろＡ、白３と白４の頁には糊しろＢという記号を印字すれば、たとえ分冊がバラバラになった場合でも張り合わせる頁を間違えることはない。
【００２１】
本願第４の発明は、上述した分冊に別れる冊子を複数部必要なときは、印刷物処理装置４の排紙トレイ４９に排出する際は、同じ部同士は同じ位置に排紙し、次の部の分冊は、違う位置にシフトさせて排紙すると、あとで仕分けるのに便利である。
【００２２】
【発明の効果】
本願第１の発明を用いれば、１部当たりの枚数が多いのに週刊誌綴じを指示したときに、複数の分冊に分けて印刷されるが、これをさらに綴じるのはユーザーの手作業で行う。このとき本願の白紙頁指示手段により白紙印刷された頁同士を糊などで張り合わせれば、少々分冊の数が多くても綴じることができる。
【００２３】
本願第２の発明を用いれば、複数の分冊を綴じるときに、貼り合わせる頁がどれなのか分かりやすいように、これを示す記号を印字しておく。
【００２４】
本願第３の発明を用いれば、第２の発明で複数の分冊を綴じるときに、何処の頁と何処の頁を貼り合わせれば良いのか判らなくならないように、貼り合わせる頁同士を同じ記号を印字しておく。
【００２５】
本願第４の発明を用いれば、週刊誌綴じされた分冊も複数、しかも部数も複数に渡るときには、同じ部のものはそれ同士が集まるように仕分けすると、あとで分冊同士綴じるときに便利である。
【００２６】
本願第５の発明を用いれば、分冊するときに１つの分冊に使用する用紙の枚数を指示できた方が、好みに応じた印刷物を作成でき便利である。
【図面の簡単な説明】
【図１】本願発明を採用する画像形成装置及び印刷物処理装置の概略図である。
【図２】本願発明を採用する画像形成装置及び印刷物処理装置のブロック図である。
【図３】本願発明を採用する週刊誌綴じ制御手段のフローチャートである。
【図４】本願発明の第１、２の週刊誌綴じの説明図である。
【符号の説明】
１；画像形成装置
３；ＤＦ（ドキュメントフィーダー）
４；印刷物処理装置
【図１】
0003603072.tif 000002
【図２】
0003603072.tif 000003
【図３】
0003603072.tif 000004
【図４】
0003603072.tif 000005